(57)【特許請求の範囲】
【請求項１】
表側部材と裏側部材とを備え、前記表側部材と前記裏側部材との側方は閉鎖し、上方及び下方は開放し、前記表側部材と前記裏側部材との間に挿し込まれた花びら部及び茎部を有する花を包装する花用包装材であって、
前記表側部材及び前記裏側部材は、それぞれ、椀形状に形成された主に前記花びら部を包装する花びら部包装部と、前記花びら部包装部より下方に延出する末広がりの台形状に形成された主に前記茎部を包装する茎部包装部とを備え、前記花びら部包装部と、前記茎部包装部との高さの比率が、１：１〜１：０．７であり、
前記表側部材及び前記裏側部材の少なくともいずれかに水分保持体を収容するための収容体を取り外し可能に備え、
前記収容体に付された結束体であって、その端部が前記表側部材及び前記裏側部材の少なくともいずれかに設けられた挿通部に通された結束体を備え、
前記表側部材と前記裏側部材との間に前記花を挿し込んだ状態で、取り外されて下方に垂下している前記収容体を、前記収容体に収容された前記水分保持体から前記茎部が水分を補給可能な位置であって、かつ、前記収容体の下端が前記茎部包装部により隠れる位置まで上方に移動するよう前記挿通部に通された前記結束体を引っ張り、前記結束体を前記表側部材及び前記裏側部材の少なくともいずれかの外面側において結んで前記花を包装する花用包装材。
【請求項２】
前記花びら部包装部と前記茎部包装部の境界領域の少なくとも一側方に凹部が形成され、
前記凹部に引っ掛けて前記結束体を結ぶ請求項１記載の花用包装材。
【請求項３】
前記表側部材及び前記裏側部材の底辺が自立用の脚部である請求項１又は２に記載の花用包装材。
【発明の詳細な説明】
【技術分野】
【０００１】
本発明は、簡易かつ綺麗に花を包装するための花用包装材に関する。
【背景技術】
【０００２】
従来、スーパー等の小売店では、水を入れたバケツ等に茎部を長く残した状態の花を入れておき、販売時に、花びら部を保護するために、樹脂フィルムにより包装していた。その包装の際、店員が底部から挿し口へ上向き末広がりに形成された細長いラッパ状の樹脂フィルムに収まるように茎部を切り落として長さを調整する作業が必要である。
また、花を長もちさせるために、茎部の切り口に水を沁み込ませた綿等を巻いて、さらに水が滴り落ちないように花用包装材とは異質な素材のアルミホイル等で包む作業が必要で、余計に時間がかかる。また、異質の素材によるツートンカラーとなり見栄えも悪かった。
【０００３】
花の鮮度を保った状態を長持ちさせるための花用給水ゼリーが知られているが、茎部の切り口に取り付けるためにはやはり時間がかかる。
【０００４】
関連技術として、ブーケを小売店で綺麗に長持ちするようにラッピングすることができる低価格の花用包装材を提供する技術が開示されている（特許文献１参照）。
【先行技術文献】
【特許文献】
【０００５】
【特許文献１】特開２００５−８８９１０号公報
【発明の概要】
【発明が解決しようとする課題】
【０００６】
しかしながら、上記の関連技術は、花用給水ゼリー等やリボン等の取り扱いを花用包装材との形状との関係において簡易にすることは困難である。また、ブーケ以外の花びら部及び茎部を有する花について、花用包装材で包装して製作する専門店の花束に近い綺麗な形状とすることは困難である。
【０００７】
本発明の目的は、簡易かつ綺麗に花びら部及び茎部を有する花を包装するための花用包装材を提供することにある。
【課題を解決するための手段】
【０００８】
本発明の花用包装材は、表側部材と裏側部材とを備え、前記表側部材と前記裏側部材との側方は閉鎖し、上方及び下方は開放し、前記表側部材と前記裏側部材との間に挿し込まれた花びら部及び茎部を有する花を包装する花用包装材であって、
前記表側部材及び前記裏側部材は、それぞれ、椀形状に形成された主に前記花びら部を包装する花びら部包装部と、前記花びら部包装部より下方に延出する末広がりの台形状に形成された主に前記茎部を包装する茎部包装部とを備え、前記花びら部包装部と、前記茎部包装部との高さの比率が、１：１〜１：０．７であり、
前記表側部材及び前記裏側部材の少なくともいずれかに水分保持体を収容するための収容体を取り外し可能に備え、
前記収容体に付された結束体であって、その端部が前記表側部材及び前記裏側部材の少なくともいずれかに設けられた挿通部に通された結束体を備え、
前記表側部材と前記裏側部材との間に前記花を挿し込んだ状態で、取り外されて下方に垂下している前記収容体を、前記収容体に収容された前記水分保持体から前記茎部が水分を補給可能な位置であって、かつ、前記収容体の下端が前記茎部包装部により隠れる位置まで上方に移動するよう前記挿通部に通された前記結束体を引っ張り、前記結束体を前記表側部材及び前記裏側部材の少なくともいずれかの外面側において結んで前記花を包装する。
このように構成することにより、花用給水ゼリー等の水分保持体の収容体が花用包装材と一体となって提供され、使用時には当該収容体を取り外して容易に茎部の切り口に取り付けることができ、また、リボン等の結束体が花用包装材及び水分保持体の収容体と一体となって提供され、結束体を結ぶ際に併せて水分保持体の収容体を適切な位置に移動させることができるので、簡易に花びら部及び茎部を有する花を包装することが可能となる。さらに、椀形状に形成された花びら部包装部と、末広がりの台形状に形成された茎部包装部との高さの比率が、１：１〜１：０．７であり、茎部を隠しつつ専門店の花束に近い綺麗な形状とすることができる。
【０００９】
また、本発明の花用包装材は、前記花びら部包装部と前記茎部包装部の境界領域の少なくとも一側方に凹部が形成され、凹部に引っ掛けて結束体を結ぶことであってもよい。
このように構成することにより、凹部に引っ掛けて結束体をずれないように結ぶことができるので、より簡易に花びら部及び茎部を有する花を包装することが可能となる。
【００１０】
また、本発明の花用包装材は、表側部材及び裏側部材の底辺が自立用の脚部であってもよい。
このように構成することにより、花用包装材のデザイン性を花の運搬時のみでなく、鑑賞時にも有効活用することができる。
【発明の効果】
【００１１】
本発明によれば、簡易かつ綺麗に花びら部及び茎部を有する花を包装するための花用包装材を提供することができる。
【図面の簡単な説明】
【００１２】
【図１】本発明の実施の形態に係る花用包装材の正面側からの視点による構成を示す図である。
【図２】図１において表側部材１０を取り除いた状態を示す図である。
【図３】本発明の実施の形態に係る花用包装材の裏面側からの視点による構成を示す図である。
【図４】本発明の実施の形態に係る花用包装材の使用方法を説明する裏面側からの視点による図である。
【図５】本発明の実施の形態に係る花用包装材により花を包装した状態を示す正面側からの視点による図である。
【図６】本発明の実施の形態に係る花用包装材の有効利用の使用方法を説明する正面側からの視点による図である。
【発明を実施するための形態】
【００１３】
以下、本発明の実施の形態を図面を参照しつつ説明する。
図１は花用包装材の正面側からの視点による構成を示す図である。図２は、図１において表側部材１０を取り除いた状態を示す正面側からの視点による図である。図３は花用包装材の裏面側からの視点による構成を示す図である。
【００１４】
図１、図２及び図３を参照すると、本実施形態の花用包装材１は、表側部材１０と裏側部材２０とから構成されている。表側部材１０と裏側部材２０は略同一の形状であり、樹脂フィルム等であってよく、印刷等を施しデザイン性や広告効果を高めてもよい。ここでは、１１ａ、１１ｂ、１１ｃ及び２１ａ、２１ｂ、２１ｃの各領域のうち最上領域の１１ａ及び２１ａみが透明であり、他の部分である１１ｂ、１１ｃ、２１ｂ、２１ｃは透明でなく彩色されているものとする（なお、以下では説明の便宜のため透視した状態を示すことがある。）。樹脂フィルムとして、単層フィルム、積層フィルムを適宜使用でき、例えば延伸ポリプロピレン（ＯＰＰ）、未延伸ポリプロピレン（ＣＰＰ）、ポリエチレン（ＰＥ）、ナイロン（Ｎｙ）／ＰＥ積層フィルム、ＯＰＰ／ＣＰＰ積層フィルム等であってもよい。また、厚みも特に限定されなく、例えば１５〜１００μｍ程度である。表側部材１０と裏側部材２０との側方は熱溶着などで閉じられている。表側部材１０と裏側部材２０との上方及び下方は開いている。これらの表側部材１０と裏側部材２０との間に、花びら部１１０及び茎部１２０を有する花１００を挿し込んで包装する。
【００１５】
図１に示すように、表側部材１０は、椀形状に形成された花びら部包装部１１と、末広がりの台形状に形成された茎部包装部１２から構成されている。椀形状とは、ほぼ椀形であればよく、例えばＲ処理や直線等が組合わされているものも広く含む。台形状とは、ほぼ台形状であればよく、例えばＲ処理や直線等が組合わされているものも広く含む。花びら部包装部１１は、主として花１００の花びら部１１０を包装する。また、茎部包装部１２は、主として花１００の茎部１２０を包装する。花びら部包装部１１の高さ寸法は１０ｃｍであり、上辺の高さ寸法は１１ｃｍであり、下辺の高さ寸法は５ｃｍである。一方、茎部包装部１２の高さ寸法は８ｃｍであり、上辺の高さ寸法は５ｃｍであり、下辺の高さ寸法は７ｃｍである。花びら部包装部１１と茎部包装部１２の高さの比率は、１：０．８となっている。なお、花びら部包装部１１と茎部包装部１２の高さの比率は、１：１〜１：０．７が好適である。これにより、高いデザイン性を実現するとともに、茎部１２０を包装して隠すことができ、隠された茎部１２０を手指により把持することが容易となり持ち運び等の便利が図られる。
花びら部包装部１１と茎部包装部１２の境界領域の両側方に幅寸法１ｃｍ、深さ寸法０．５ｃｍの凹部１３、１４が形成されている。
【００１６】
図２に示すように、裏側部材２０は、椀形状に形成された花びら部包装部２１と、末広がりの台形状に形成された茎部包装部２２から構成されている。椀形状とは、ほぼ椀形であればよく、例えばＲ処理や直線等が組合わされているものも広く含む。台形状とは、ほぼ台形状であればよく、例えばＲ処理や直線等が組合わされているものも広く含む。花びら部包装部２１は、主として花１００の花びら部１１０を包装する。また、茎部包装部２２は、主として花１００の茎部１２０を包装する。花びら部包装部２１の高さ寸法は１０ｃｍであり、上辺の高さ寸法は１１ｃｍであり、下辺の高さ寸法は５ｃｍである。一方、茎部包装部２２の高さ寸法は８ｃｍであり、上辺の高さ寸法は５ｃｍであり、下辺の高さ寸法は７ｃｍである。花びら部包装部２１と茎部包装部２２の高さの比率は、１：０．８となっている。なお、花びら部包装部２１と茎部包装部２２の高さの比率は、１：１〜１：０．７が好適である。これにより、高いデザイン性を実現するとともに、茎部１２０を包装して隠すことができ、隠された茎部１２０を手指により把持することが容易となり持ち運び等の便利が図られる。
花びら部包装部２１と茎部包装部２２の境界領域の両側方に幅寸法１ｃｍ、深さ寸法０．５ｃｍの凹部２３、２４が形成されている。
【００１７】
裏側部材２０の内面側（花１００と接する側）には、水分保持体としての花用給水ゼリー３１を収容するための収容体としての収容袋３０が取り付けられている。収容袋３０は、その上端部のみが裏側部材２０の内面側に貼着されており、ミシン目状切込み３２に沿って切り取ることで裏側部材２０から取り外し可能となっている。収容袋３０は、表側部材１０に溶着されていてもよい。収容袋３０は、矩形状であり、裏表二枚のシートの一方には花１００の茎部１２０の挿入を容易にするための切欠き部３３（図３参照）が設けられている。高さ寸法は１１ｃｍであり、横幅寸法は４ｃｍである。樹脂フィルム等であってよい。収容袋３０は、ミシン目状切込み３２に沿って切り取られる前の状態では上方が開いていないため、花１００の茎部１２０が誤って挿入されること等が防止される。
なお、本実施の形態では、花用給水ゼリー３１は予め収容袋３０に収容されているが、包装時に収容袋３０に収容されることであってもよい。
【００１８】
図３に示すように、収容体としての収容袋３０に熱溶着等により付された結束体としてのリボン４０ａ、４０ｂは、その端部がそれぞれ裏側部材２０に設けられた挿通部としての直径０．５ｃｍの穴部２５、２６に通され、両端部はまとめて裏側部材２０の外面側に貼られたシール４１により固定されている。リボン４０ａ、４０ｂは、それぞれ長さ寸法は２０ｃｍであり、太さ寸法は０．４ｃｍである。結んで飾りとするために十分なサイズである。結束体としてリボンの他にも、紐状や細帯状のものが広く含まれ、材質や色等も特に限定されない。なお、リボン４０ａ、４０ｂは、一本のリボン４０であってもよい。
シール４１に限らず、リボン４０ａ、４０ｂをまとめておくことができる公知の種々の手法が適用可能である。
【００１９】
以下、本実施の形態の花用包装材１の使用方法を図面を参照して説明する。スーパー等の小売店において、水を入れたバケツ等に茎部１２０を長く残した状態の複数本の花１００を入れておき、販売時に、花用包装材１により包装する場合を前提とする。その包装の際、店員が花用包装材１に収まるように茎部１２０をハサミ等により切り落として長さを調整する作業が必要である。
【００２０】
図４は花用包装材の裏面側からの視点による図である。
図４に示すように、表側部材１０と裏側部材２０との上方は開いているので、そこから表側部材１０と裏側部材２０との間に、花びら部１１０及び茎部１２０を有する花１００を茎部１２０を下側にして挿し込む。
【００２１】
裏側部材２０の内面側には、水分保持体としての花用給水ゼリー３１を収容するための収容体としての収容袋３０が取り付けられている。収容袋３０は、その上端部のみが裏側部材２０の内面側に貼着されており、ミシン目状切込み３２に沿って切り取られる前の状態では上方が開いていないため、花１００の茎部１２０が誤って挿入されること等が防止される。
【００２２】
表側部材１０と裏側部材２０との下方は開いているので、そこから茎部１２０の下端が突出した状態となる。
突出した茎部１２０を切り落として長さを調整する。収容袋３０の下端が表側部材１０の茎部包装部１２及び裏側部材２０の茎部包装部２２により隠れる位置にあるときに、収容袋３０に収容された花用給水ゼリー３１から茎部１２０が水分を補給可能となる長さに短く切り落とす。すなわち、少なくとも表側部材１０の茎部包装部１２及び裏側部材２０の茎部包装部２２の下端よりも短くなるように切り落とす。
【００２３】
そして、収容袋３０をミシン目状切込み３２に沿って切り取り裏側部材２０から取り外す。収容袋３０には結束体としてのリボン４０が付されているので、取り外された収容袋３０は、下方に垂下することとなる。ここで、別途用意された花用給水ゼリー３１を収容袋３０に収容することであってもよい。表側部材１０の茎部包装部１２及び裏側部材２０の茎部包装部２２が幅広に形成されているので、従来の細長い樹脂フィルムでは幅が狭くて下から手を入れての作業が困難であるという問題点が解消されている。
【００２４】
裏側部材２０の外面側に貼りつけられているシール４１を取り外し、結束体としてのリボン４０の固定状態を解除する。端部がそれぞれ裏側部材２０に設けられた挿通部穴部２５、２６に通されているリボン４０ａ、４０ｂを上方や側方等に引っ張ることにより、取り外されて下方に垂下している収容袋３０を、収容袋３０に収容された花用給水ゼリー３１から茎部１２０が水分を補給可能な位置であって、かつ、収容袋３０の下端が表側部材１０の茎部包装部１２及び裏側部材２０の茎部包装部２２により隠れる位置まで上方に移動させる。このようにすることで、収容袋３０に短くした茎部１２０の先端部分が収まることとなる。
【００２５】
図５は花用包装材の正面側からの視点による図である。
図５に示すように、リボン４０ａ、４０ｂを凹部１３、１４、２３、２４に引っ掛けて、リボン４０ａ、４０ｂの位置がずれないようにしつつ、表側部材１０及び裏側部材２０の外面側において結束して、結び目を整えて飾りとする。表側部材１０の花びら部包装部１１及び裏側部材２０の花びら部包装部２１により、主として花１００の花びら部１１０を包装し、また、表側部材１０の茎部包装部１２及び裏側部材２０の茎部包装部２２により、主として花１００の茎部１２０を包装する。
【００２６】
上記の本実施の形態によれば、専門店の花束に近い形状となる高いデザイン性を実現するとともに、容易に綺麗に包装することができる。また、持ち運び等の便利のために手で容易に把持するために十分な長さの茎部１２０を包装して隠すことができ、家庭用花束としても、さらに家庭用花束以上に見栄えが良いことが求められるギフト用花束としても用いることが可能となる。
また、花用包装材１は未使用時には扁平となり保管・運搬が容易であり、低コストで製造することもできる。
【００２７】
以下、本実施の形態の花用包装材１のさらなる有効利用の使用方法を図面を参照して説明する。
図６は花用包装材の正面側からの視点による図である。
図６に示すように、上記の使用方法に従って、ギフト用花束として、花用包装材１により包装された花１００について、リボン４０ａ、４０ｂをほどいて取り除き、さらに収容袋３０も取り外す。
花瓶又は家庭用コップ等の容器５０に、表側部材１０及び裏側部材２０で包装された状態の花１００の茎部１２０を挿し入れ、容器５０の外側を、底辺が自立用の脚部として機能する表側部材１０及び裏側部材２０で覆い隠す。これにより見栄えが良い、高いデザイン性の装飾を実現することができる。また、花用包装材１を廃棄することなく再利用することもできる。
【００２８】
表側部材１０の茎部包装部１２及び裏側部材２０の茎部包装部２２が末広がりの台形状に形成されているので起立した状態を安定的に維持できる。
なお、リボン４０ａ、４０ｂは取り除かずに飾りとして残すことであってもよい。
【００２９】
その他、一々例示はしないが、本発明は、その趣旨を逸脱しない範囲内において、各構成部分の大きさや形状を含む種々の変更が加えられて実施されてよい。
【符号の説明】
【００３０】
１                花用包装材
１０              表側部材
２０              裏側部材
３０              収容袋
３１              花用給水ゼリー
４０ａ、４０ｂ    リボン
５０              容器
１００            花
【要約】
【課題】簡易かつ綺麗に花びら部及び茎部を有する花を包装するための花用包装材を提供すること。
【解決手段】表側部材と裏側部材とを備え、前記表側部材と前記裏側部材との側方は閉鎖し、上方及び下方は開放し、前記表側部材と前記裏側部材との間に挿し込まれた花びら部及び茎部を有する花を包装する花用包装材であって、前記表側部材及び前記裏側部材は、それぞれ、椀形状に形成された主に前記花びら部を包装する花びら部包装部と、前記花びら部包装部より下方に延出する末広がりの台形状に形成された主に前記茎部を包装する茎部包装部とを備え、前記花びら部包装部と、前記茎部包装部との高さの比率が、１：１〜１：０．７であり、前記表側部材及び前記裏側部材の少なくともいずれかに水分保持体を収容するための収容体を取り外し可能に備え、前記収容体に付された結束体であって、その端部が前記表側部材及び前記裏側部材の少なくともいずれかに設けられた挿通部に通された結束体を備え、前記表側部材と前記裏側部材との間に前記花を挿し込んだ状態で、取り外されて下方に垂下している前記収容体を、前記収容体に収容された前記水分保持体から前記茎部が水分を補給可能な位置であって、かつ、前記収容体の下端が前記茎部包装部により隠れる位置まで上方に移動するよう前記挿通部に通された前記結束体を引っ張り、前記結束体を前記表側部材及び前記裏側部材の少なくともいずれかの外面側において結んで前記花を包装する花用包装材。
【選択図】図１【図１】
0005661966.tif 000002
【図２】
0005661966.tif 000003
【図３】
0005661966.tif 000004
【図４】
0005661966.tif 000005
【図５】
0005661966.tif 000006
【図６】
0005661966.tif 000007